(57)【要約】 【課題】  水田の水を流す排水路と水田を繋ぐ暗渠構造であって、水田側に設置されて暗渠構造と接続されるコンクリート製の排水枡の提供。【解決手段】  排水桝３の内部には高さを異にする仕切りブロック１５，１５によって仕切られた複数の貯留部１７ａ，１７ｂ，１７ｃを有し、水田４の水が入る為に外壁１１ｄに設けた流入口１３には遮蔽板２０が挿入される挿入溝１８と、上記暗渠構造２と接続する為に外壁１１ａには流出口１２を有している。【選択図】    図３
2009280987.tif 000002
【特許請求の範囲】
【請求項１】
水田の水を流す排水路と水田を繋ぐ暗渠構造であって、水田側に設置されて暗渠構造と接続されるコンクリート製の排水枡において、該排水桝の内部には高さを異にする仕切りブロックによって仕切られた複数の貯留部を有し、水田の水が入る為に外壁に設けた流入口には遮蔽板が挿入される挿入溝と、上記暗渠構造と接続する為に外壁には流出口を有していることを特徴とするコンクリート排水枡。
【請求項２】
上記仕切りブロックの上面を傾斜した請求項１記載のコンクリート排水枡。
【発明の詳細な説明】
【技術分野】
【０００１】
本発明は水田の水を排水する排水路の水田側に設置されるコンクリート排水枡に関するものである。
【背景技術】
【０００２】
昔の水田はその形状が多種多様化していて、畦道に沿った川から水を供給していたが、近年ではコンクリートブロックで構成している水路が作られ、このコンクリート製水路から水を導き入れている。時には、供給管を設置しておき、この供給管に水道の蛇口に相当するものを取付け、該蛇口を開くことで水田に水を供給することが出来るシステムも存在している。
【０００３】
ところで、上記コンクリート製水路や供給管には魚がすむことは殆どない。そして、水田の水が排水されて流れる排水路は、勿論コンクリート製の比較的大きなＵ型ブロックで構成され、該排水路では流れが速くて魚が生育する環境に適していない。そこで、水田を魚類の産卵繁殖・育成の場として活用することにより、生態系保全を達成せんとする試みも一部で成されている。その為には、排水路から魚類が遡上することが出来る魚道を作ることが必要である。
【０００４】
特開２００４−６８５７１号に係る「魚類遡上構造及びそれに用いる水路部材」は、排水路から水田に無理なく魚類を遡上可能とする魚道を、施工能率良く形成し得る魚類遡上構造である。
そこで、Ｕ字溝状をなす水路部材の複数を、排水路側から水田側に向けて徐々に高くなるように階段状に敷設し、上流側に設置された水路部材の接合部を、下流側に設置された水路部材の接合嵌合部に嵌めている。又、各水路部材の水路の下流側部位に、水路水を嵩上げする堰板を着脱可能に装着し、該堰板の越流部を、下流側の水位に対して魚類が遡上可能な高さに設定している。
【０００５】
ところで、階段状に敷設したＵ字溝状の水路部材を飛び越えて泳ぐことが出来る魚類は限られてしまう。すなわち、ある程度の大きさに成長した魚でなくては上段の水路部材へ飛び上ることが出来ない。一方、各水路部材を階段状に敷設して構成する魚道構造はその施工工数が嵩んで費用が高くなってしまう。
【特許文献１】特開２００４−６８５７１号に係る「魚類遡上構造及びそれに用いる水路部材」
【発明の開示】
【発明が解決しようとする課題】
【０００６】
このように、魚類が排水路から水田へ遡上する為の従来の魚道構造には上記のごとき問題がある。本発明が解決しようとする課題はこの問題点であり、小さな魚であっても、又貝類やえび類などであっても遡上することが出来る水路の水田側に設置するコンクリート排水枡を提供する。
【課題を解決するための手段】
【０００７】
本発明に係るコンクリート排水枡は、排水路と水田を繋ぐ暗渠構造において、水田の排水口に設置される桝である。上記暗渠構造は排水路と排水桝間に傾斜して設置され、必要に応じて排水路の脇に魚巣を設ける場合もある。排水路はコンクリート製のＵ型ブロックで構成され、流れの速い排水路の脇に水溜りとなる魚巣を設けることで魚が住みやすい環境が作れる。この場合、暗渠構造は魚巣から延びて排水桝に接続している。
【０００８】
ところで、上記排水桝は複数の貯留部に仕切られ、その為に仕切りブロックが設けられている。すなわち、仕切りブロックによって各貯留部が仕切られているが、これら仕切りブロックの高さは違っていて、しかも上面は傾斜している。そして、排水桝の外壁には水田などの水が流れる流入口を有し、上記暗渠構造へ流出する流出口を設けている。そして、流入口には着脱可能な遮蔽板が取付けられ、遮蔽板を取外すことで水田の水が排水桝へ入って暗渠構造から排水路へと流れる。
【発明の効果】
【０００９】
このように、暗渠構造は水田と排水路を傾斜した水路にて接続し、この暗渠構造を通して水田の水を排水路へ流すことが出来る。そして、水田の脇にはコンクリート製の排水桝が設置されていて、該暗渠構造はこの排水桝に接続している。水田の水が排水される場合、排水桝を通過して傾斜した暗渠構造を流れて排水路へ落ちる。排水路の脇には流れの殆どない魚巣が設けられるならば、この魚巣に入った魚は暗渠構造に沿って上り、排水桝から水田へ進入することが出来る。
【００１０】
ここで、排水桝は仕切りブロックによって仕切られた複数の貯留部が形成されていて、この貯留部には水が溜まっている。そして、仕切りブロックの高さは暗渠構造への流出口が低く、水田からの流入口側に設けている仕切りブロックの高さを高くしていることで、魚の進入がし易くなる。しかも、仕切りブロックの上面は傾斜している為に、水田から排出される水の量に応じて流れることが出来る為に、魚は仕切られている各貯留部を泳ぎ渡って水田へ進入し易い。
【実施例】
【００１１】
図１は本発明に係るコンクリート排水桝を設置した暗渠構造を表している実施例で平面図を示している。同図の１は排水路、２は暗渠構造、３は排水桝、４は水田、５は魚巣を夫々表している。暗渠構造２は排水路１と水田４を繋ぎ、排水路１と水田４との間には傾斜して設置され、排水路１に住んでいる魚類は暗渠構造内を泳いで水田４へ進入することが出来、逆に水田４の魚類は暗渠構造内を下って排水路１へ入ることが出来る。
【００１２】
図２は図１のＡ−Ａ断面図を示している。水田４は排水路１より高所にあり、該水田４の脇には排水桝３が設置されていて、この排水桝３から暗渠構造２は斜め下方へ延びて魚巣５へ繋がっている。排水路１は両水田４，４の間に設けた溝底に設けられ、Ｕ型ブロック６，６・・が接続した構造と成っている。そして、排水路１の両側には傾斜面７，７が設けられ、そして水田４，４との間には畦道８，８を設けている。
【００１３】
ここで、上記暗渠構造２はＵ型ブロックに蓋をして構成する場合、又は塩ビ管を用いることもあり、本発明ではこの暗渠構造２の具体的な形態については限定しない。そして、前記図１に全体構造を示している通り、暗渠構造２と水田４との間には排水桝３を設置している。すなわち、暗渠構造２が水田４と直接連通していない。そして、該排水桝３の隣には別の排水桝９が設置され、該排水桝９には排水管１０が接続して排水路１と連通している。ただし、この排水管１０から水田４へ魚が入ることはない。
【００１４】
図３は排水桝３を示す具体例である。その外観は四角形の桝であり、外壁１１ａ，１１ｂ・・を有し、上部は開口している。又、外壁１１ａには暗渠構造２が接続する為の流出口１２を有し、同じく外壁１１ｄには水田４の排出水が入る流入口１３を設けている。本発明では暗渠構造２を水田４と直接繋ぐことなく、間に排水桝３を介在している。この排水桝３を水田脇に設置し、排水をこの排水桝３に一旦入れて流すことで、暗渠構造２を泳ぎ上って来た魚は水田へ入り易く、又水田の土が水と共に暗渠構造２へ流れることを防止している。
【００１５】
そして、排水桝３の内部には仕切りブロック１４，１５を有し、仕切り板１９が嵌る為の挿入溝１６を形成している。この挿入溝１６に仕切り板１９を嵌めることで排水桝３は３つの貯留部１７ａ，１７ｂ，１７ｃに仕切られ、上記流入口１３には遮蔽板２０を取付ける為の挿入溝１８を設けている。
【００１６】
そこで、上記遮蔽板２０を外して流入口１３を開くならば、水田４から水が排出されて貯留部１７ａに入る。そして、貯留部１７ａに水が溜まって一杯になれば仕切りブロック１４を乗り越えて貯留部１７ｂへ入り、この貯留部１７ｂに水が溜まって一杯になれば、さらに仕切りブロック１５を乗り越えて貯留部１７ｃへ入って流出口１２から流出し、暗渠構造２を流れる。
【００１７】
図４は本発明の排水桝３に仕切り板１９および遮蔽板２０を取付けた状態での平面図を示している。ここで、上記仕切りブロック１４，１５の上面２１，２２は傾斜していて、しかも該仕切りブロック１４より仕切りブロック１５の方が低く成っている。ところで、各仕切りブロック１４，１５の上面２１，２２が傾斜していることで、水田４から排出される水が僅かな量でも流れ易い。
【００１８】
すなわち、水量が少なくなれば上面２１，２２を流れる水流の幅は小さくなるが、水流の深さの減少は抑制されるために、魚は仕切りブロック１４，１５を乗り越えて泳ぐことが出来る。そして、仕切りブロック１５の高さを低くすることで、暗渠構造２から上ってくる魚は貯留部１７ｃに入り、この貯留部１７ｃから仕切りブロック１５を乗り越え易くなる。
【００１９】
図５は本発明に係る排水桝３を表している別の実施例である。基本構造は前記図３の排水桝３と同じであるが、同図に示す排水桝３は３つの仕切りブロック２３，２４，２５を設けていて、内部を４つの貯留部２６ａ，２６ｂ，２６ｃ，２６ｄに仕切った構造としている。そして、その外観は四角形の桝であり、外壁２７ａ，２７ｂ・・を有し、上部開口している。又、外壁２７ａには暗渠構造２が接続する為の流出口２８を有し、同じく外壁２７ｄには水田４の排出水が入る流入口２９を設けている。
【００２０】
そして、内部には仕切りブロック２３，２４，２５を有し、仕切り板３２が嵌る為の挿入溝３０を形成している。この挿入溝３０に仕切り板３２を嵌めることで排水桝３は４つの貯留部２６ａ，２６ｂ，２６ｃ，２６ｄに仕切られ、上記流入口２９には遮蔽板３３を取付ける為の挿入溝３１を設けている。
【００２１】
そこで、上記遮蔽板３３を外して流入口２９を開くならば、水田４から水が排出されて貯留部２６ａに入る。そして、貯留部２６ａに水が溜まって一杯になれば仕切りブロック２３を乗り越えて貯留部２６ｂへ入り、この貯留部２６ｂに水が溜まって一杯になれば、さらに仕切りブロック２４を乗り越えて貯留部２６ｃへ入る。貯留部２６ｃが水で一杯になれば、仕切りブロック２５を乗り越えて貯留部２６ｄに入って流出口２８から流出し、暗渠構造２を流れる。
【００２２】
図６は本発明の排水桝３に仕切り板３２および遮蔽板３３を取付けた状態での平面図を示している。ここで、上記仕切りブロック２３，２４，２５の上面は傾斜していて、しかも該仕切りブロック２３より仕切りブロック２４の方が低く、仕切りブロック２４より、仕切りブロック２５は低く成っている。すなわち、仕切りブロック２３、仕切りブロック２４、仕切りブロック２５と順に低く成っている。そして、各仕切りブロック２３，２４、２５の上面が傾斜していることで、水田４から排出される水が僅かでも流れ易い。
【００２３】
すなわち、水量が少なくなれば上面を流れる水流の幅が小さくなるが、水流の深さの減少は抑制されるために、魚は仕切りブロック２３，２４，２５を乗り越えて泳ぐことが出来る。そして、仕切りブロック２５の高さを低くすることで、暗渠構造２から上ってくる魚は貯留部２６ｄに入り、この貯留部２６ｄから仕切りブロック２５を乗り越え易くなる。さらに、次の仕切りブロック２４、仕切りブロック２３を順次乗り越えて水田４へ入ることが出来る。
【図面の簡単な説明】
【００２４】
【図１】本発明に係る魚道構造を示す実施例。
【図２】図１のＡ−Ａ断面図。
【図３】本発明に係る排水桝を表す斜視図。
【図４】本発明に係る排水桝に仕切り板と遮蔽板を取付けた状態の平面図。
【図５】本発明に係る排水桝を表す斜視図。
【図６】本発明に係る排水桝に仕切り板と遮蔽板を取付けた状態の平面図。
【符号の説明】
【００２５】
１  排水路
２  暗渠構造
３  排水桝
４  水田
５  魚巣
６  Ｕ型ブロック
７  傾斜面
８  畦道
９  排水桝
10  排水管
11  外壁
12  流出口
13  流入口
14  仕切りブロック
15  仕切りブロック
16  挿入溝
17  貯留部
18  挿入溝
19  仕切り板
20  遮蔽板
21  上面
22  上面
23  仕切りブロック
24  仕切りブロック
25  仕切りブロック
26  貯留部
27  外壁
28  流出口
29  流入口
30  挿入溝
31  挿入溝
32  仕切り板
33  遮蔽板
【図１】
2009280987.tif 000003
【図２】
2009280987.tif 000004
【図３】
2009280987.tif 000005
【図４】
2009280987.tif 000006
【図５】
2009280987.tif 000007
【図６】
2009280987.tif 000008